(57)【特許請求の範囲】
【請求項１】
屋外に設置され、内部に設けられた給湯用機器を覆う外装体を有する給湯装置であって、
前記外装体は、複数の板金部品を組み合わせて構成され、そのうちの一の板金部品の一部と、他の板金部品の一部とが重ね合わされた重ね合わせ部を有し、
前記重ね合わせ部の内側の板金部品には、内側に凸で外側に凹となる上下方向に伸びる溝が板金加工により設けられており、該溝により前記重ね合わせ部の外側の板金部品と内側の板金部品との間に排水路が形成され、
前記重ね合わせ部の外側の板金部品と内側の板金部品との隙間に外部から浸入した水が、前記排水路を通って重力により下降し前記排水路の下部から排出されるように構成され、
外部からの水が浸入する側から斜め下方向に伸びて前記排水路に合流する補助排水路を形成するための補助溝が前記重ね合わせ部の内側の板金部品に更に設けられている給湯装置。
【請求項２】
高さの異なる位置に複数の前記補助排水路が設けられている請求項１記載の給湯装置。
【請求項３】
前記排水路が複数本、略並行して設けられている請求項１または２記載の給湯装置。
【請求項４】
前記排水路の上端が閉塞している請求項１乃至３の何れか１項記載の給湯装置。
【発明の詳細な説明】
【技術分野】
【０００１】
本発明は、給湯装置に関する。
【背景技術】
【０００２】
屋外に設置される給湯装置においては、機器を収容する外装体（筐体）から内部に雨水が浸入した場合、浸入した雨水が、内部の電気電子部品にかかることで不具合が引き起こされたり、内部に残留した雨水によって内部構成板金の錆びが発生したりする。このため、従来より、外装体の防水構造が提案されている。例えば、特許文献１には、メンテナンス時に開閉を要する前面パネルを初めとして、外装体を構成する部品の継ぎ目からの雨水の浸入を防止するため、継ぎ目の部分にシール材を設け、雨水の浸入を防止する技術が開示されている。
【０００３】
また、特許文献２には、電気接続箱等に利用されるケースの防水構造として、部品の継ぎ目を構成する部分に互いに嵌合する凸部および凹部を設け、嵌合した凸部と凹部の隙間を通してケース外部からケース内部へと水が浸入する経路の途中に、該隙間で形成される経路と交差し、浸入した水を重力によりケース外部へと導く水抜き溝を形成した防水構造が開示されている。
【先行技術文献】
【特許文献】
【０００４】
【特許文献１】特開２００４−１０８６６９号公報
【特許文献２】特開２００１−７５６１号公報
【発明の概要】
【発明が解決しようとする課題】
【０００５】
しかしながら、特許文献１に示されたような給湯装置では、雨水の浸入が予測される外装体を構成する部品の継ぎ目部分の形状ごとに、その形状に合わせたシール材やパッキンを構成し、各部品にシール材やパッキンを貼り付ける必要があり、加工工数がかかるという問題がある。また、給湯装置においては、火災安全の観点から、内部の部品の故障等を原因として、仮に内部から発火した場合においても、装置外への延焼を防止するため、逆に、外部からのもらい火を防ぐ目的などで、外装体を構成する部品を、難燃性の樹脂で成形した操作用窓等を除き、すべて金属にて構成することが望まれている。このため、可燃性のシール材やパッキンを設けることは好ましくない。
【０００６】
また、特許文献２に開示された防水構造を給湯装置の外装体に適用した場合を考えると、部品の継ぎ目の形状が複雑になるとともに、水抜き溝を形成するために金属部品の厚みを厚くすることが必要となるので、給湯装置の重量が重くなり、給湯装置の運搬作業や設置作業の作業性が著しく悪化することになる。
【０００７】
本発明は、上述のような課題を解決するためになされたもので、シール材やパッキン等の追加なしに、簡単かつ軽量な構成で、外装体の防水構造を実現することのできる給湯装置を提供することを目的とする。
【課題を解決するための手段】
【０００８】
本発明に係る給湯装置は、屋外に設置され、内部に設けられた給湯用機器を覆う外装体を有する給湯装置であって、外装体は、複数の板金部品を組み合わせて構成され、そのうちの一の板金部品の一部と、他の板金部品の一部とが重ね合わされた重ね合わせ部を有し、重ね合わせ部の内側の板金部品には、内側に凸で外側に凹となる上下方向に伸びる溝が板金加工により設けられており、該溝により重ね合わせ部の外側の板金部品と内側の板金部品との間に排水路が形成され、重ね合わせ部の外側の板金部品と内側の板金部品との隙間に外部から浸入した水が、排水路を通って重力により下降し排水路の下部から排出されるように構成され、外部からの水が浸入する側から斜め下方向に伸びて排水路に合流する補助排水路を形成するための補助溝が重ね合わせ部の内側の板金部品に更に設けられているものである。
【発明の効果】
【０００９】
本発明によれば、給湯装置の外装体を構成する板金部品の継ぎ目を、シール材やパッキン等の追加なしの簡単な構成で、確実に防水することが可能となる。また、重ね合わせ部の内側の板金部品に板金加工により設けた溝によって排水路を形成しているので、構成材料となる金属板の厚みを厚くする必要がなく、外装体を軽量化することができる。
【図面の簡単な説明】
【００１０】
【図１】本発明の実施の形態１の給湯装置の正面図である。
【図２】本発明の実施の形態１の給湯装置の背面図である。
【図３】本発明の実施の形態１の給湯装置の側面図である。
【図４】比較対照例の外装体の断面を示す参考図である。
【図５】比較対照例の外装体の断面を示す参考図である。
【図６】図４中のＣ部の雨水の浸入経路を示す図である。
【図７】図５中のＤ部の雨水の浸入経路を示す図である。
【図８】図５中のＤ部を拡大して示す図である。
【図９】本発明の実施の形態１の給湯装置が備える外装体の左側面ケースと背面ケースとの継ぎ目の重ね合わせ部を図１中のＡ−Ａ線に相当する位置で切断した断面図である。
【図１０】本発明の実施の形態１の給湯装置が備える外装体の右側面ケースと本体外配管接続口取り付けケースとの継ぎ目の重ね合わせ部を図１中のＢ−Ｂ線に相当する位置で切断した断面図である。
【図１１】本発明の実施の形態１の給湯装置が備える外装体の右側面ケースと本体外配管接続口取り付けケースとの継ぎ目の重ね合わせ部の斜視図である。
【図１２】本発明の実施の形態２の給湯装置が備える外装体の右側面ケースと本体外配管接続口取り付けケースとの継ぎ目の重ね合わせ部の斜視図である。
【図１３】本発明の実施の形態３の給湯装置が備える外装体の右側面ケースと本体外配管接続口取り付けケースとの継ぎ目の重ね合わせ部の斜視図である。
【図１４】本発明の実施の形態４の給湯装置が備える外装体の右側面ケースと本体外配管接続口取り付けケースとの継ぎ目の重ね合わせ部の斜視図である。
【発明を実施するための形態】
【００１１】
以下、図面を参照して本発明の実施の形態について説明する。なお、各図において共通する要素には、同一の符号を付して、重複する説明を省略する。
【００１２】
実施の形態１．
図１、図２、図３は、それぞれ、本発明の実施の形態１の給湯装置の正面図、背面図、側面図である。これらの図に示す給湯装置１０は、屋外に設置されるものであり、複数の脚１１により、地面または台座に固定される。給湯装置１０は、内部に設けられた給湯用機器を覆う外装体２を有している。本実施形態の給湯装置１０は、給湯用機器として、湯水が通る複数の配管１ａや貯湯タンク１ｂ等を内蔵している。ただし、本発明において、給湯用機器とは、これらに限定されるものではなく、ポンプ、熱交換器、加熱装置、制御装置など、給湯に関連して設けられたすべての機器を含む。
【００１３】
外装体２は、前面ケース２ａ、右側面ケース２ｂ、左側面ケース２ｃ、背面ケース２ｄ、上面ケース２ｅ、底面ケース２ｆ、および本体外配管接続口取り付けケース２ｇを組み合わせて構成されている。前面ケース２ａ、右側面ケース２ｂ、左側面ケース２ｃ、背面ケース２ｄ、上面ケース２ｅ、底面ケース２ｆ、および本体外配管接続口取り付けケース２ｇは、それぞれ、金属板を板金加工した板金部品で構成されている。これにより、外装体２を軽量にすることができ、給湯装置１０の軽量化に寄与する。このため、給湯装置１０の運搬作業や設置作業の作業性を良好とすることができる。
【００１４】
図４および図５は、それぞれ、比較対照例の外装体の断面を示す参考図である。図４は図１中のＡ−Ａ線に相当する位置での断面であり、図５は図１中のＢ−Ｂ線に相当する位置での断面である。複数の板金部品を組み合わせて外装体を構成する場合、水平面に対し垂直な板金部品同士の継ぎ目において、一方の板金部品の一部と他方の板金部品の一部とを重ね合わせた重ね合わせ部を設けることがある。例えば、図４に示すように、左側面ケース２ｃの一部と、背面ケース２ｄの一部とがコーナー部を跨いで重ね合わされて重ね合わせ部が構成されている（同図中のＣ部）。同様に、右側面ケース２ｂの一部と、背面ケース２ｄの一部とがコーナー部を跨いで重ね合わされて重ね合わせ部が構成されている。また、図５に示すように、右側面ケース２ｂの一部と、本体外配管接続口取り付けケース２ｇの一部とが重ね合わされて重ね合わせ部が構成されている（同図中のＤ部）。同様に、左側面ケース２ｃの一部と、本体外配管接続口取り付けケース２ｇの一部とが重ね合わされて重ね合わせ部が構成されている。
【００１５】
図６は、図４中のＣ部の雨水の浸入経路を示す図であり、図７は、図５中のＤ部の雨水の浸入経路を示す図である。図４あるいは図５に示す構成では、給湯装置１０が風雨に曝された場合に、図６あるいは図７に示すように、重ね合わせ部の内側の板金部品と外側の板金部品との微小隙間に外部からの雨水が表面張力によって浸入し、外装体２の内部にまで水が浸入する場合がある。
【００１６】
なお、給湯装置１０を設置場所まで運搬したり設置場所での据付作業を伴う場合の安全配慮の観点から、板金部品の端面のエッジが作業者に容易に触れないよう構成する必要がある。このため、図５のような重ね合わせ部の場合、図８に示すように、エッジ部が相手部品の曲げ部にかからないような構成が必要とされる。
【００１７】
図４〜図６の比較対照例を参照して説明したような雨水の浸入を防止するため、本実施形態の給湯装置１０が備える外装体２では、水平面に対し垂直な板金部品同士の継ぎ目の重ね合わせ部に排水路を設けている。この点に関し、以下、図９乃至図１１を参照して説明する。
【００１８】
図９は、本実施形態の給湯装置１０が備える外装体２の左側面ケース２ｃと背面ケース２ｄとの継ぎ目の重ね合わせ部を図１中のＡ−Ａ線に相当する位置で切断した断面図である。図９に示すように、左側面ケース２ｃと背面ケース２ｄとの継ぎ目の重ね合わせ部では、内側に位置する背面ケース２ｄに、給湯装置１０の設置状態に対して上下方向に伸びる溝３が板金加工によって設けられている。この溝３は、内側に凸で外側に凹となるように形成されていている。この溝３により、左側面ケース２ｃと背面ケース２ｄとの間（重ね合わせ部の内部）に、排水路５として機能する通路が形成されている。図１に示すように、このような溝３（排水路５）は、左側面ケース２ｃと背面ケース２ｄとの継ぎ目の上から下までほぼ全長に渡って形成されており、排水路５の下端は外部に開放している。左側面ケース２ｃと背面ケース２ｄと重ね合わせ部の微小隙間に水が浸入した場合、その水は、表面張力によって微小隙間を伝って排水路５に到達する。排水路５の太さ（通路面積）は、水が表面張力によって浸透することのできる隙間の寸法よりも十分に大きくされている。このため、排水路５に到達した水は、表面張力によって排水路５内にとどまることはできないので、重力によって排水路５を伝って下降し、排水路５の下端開口から外部に排出される。このようにして、左側面ケース２ｃと背面ケース２ｄと重ね合わせ部の微小隙間に浸入した水は、排水路５によって外部に確実に排水されるので、排水路５を超えて外装体２の内部に水が浸入することはない。以上、左側面ケース２ｃと背面ケース２ｄとの継ぎ目の重ね合わせ部の構成について説明したが、右側面ケース２ｂと背面ケース２ｄとの継ぎ目の重ね合わせ部も同様に構成されている。
【００１９】
図１０は、本実施形態の給湯装置１０が備える外装体２の右側面ケース２ｂと本体外配管接続口取り付けケース２ｇとの継ぎ目の重ね合わせ部を図１中のＢ−Ｂ線に相当する位置で切断した断面図である。図１１は、同重ね合わせ部の斜視図である。なお、図１１では、見易くするための便宜上、本体外配管接続口取り付けケース２ｇを、右側面ケース２ｂの内側に隠れている部分についても実線で描いている。
【００２０】
図１０に示すように、右側面ケース２ｂと本体外配管接続口取り付けケース２ｇとの継ぎ目の重ね合わせ部では、内側に位置する本体外配管接続口取り付けケース２ｇに、給湯装置１０の設置状態に対して上下方向に伸びる溝４が板金加工によって設けられている。この溝４は、内側に凸で外側に凹となるように形成されていている。この溝４により、右側面ケース２ｂと本体外配管接続口取り付けケース２ｇとの間（重ね合わせ部の内部）に、排水路６として機能する通路が形成されている。図１１に示すように、このような溝４（排水路６）は、右側面ケース２ｂと本体外配管接続口取り付けケース２ｇとの継ぎ目の上から下までほぼ全長に渡って形成されており、排水路６の下端は外部に開放している。右側面ケース２ｂと本体外配管接続口取り付けケース２ｇと重ね合わせ部の微小隙間に水が浸入した場合、その水は、表面張力によって微小隙間を伝って排水路６に到達する。排水路６の太さ（通路面積）は、水が表面張力によって浸透することのできる隙間の寸法よりも十分に大きくされている。このため、排水路６に到達した水は、表面張力によって排水路６内にとどまることはできないので、重力によって排水路６を伝って下降し、排水路６の下端開口から外部に排出される。このようにして、右側面ケース２ｂと本体外配管接続口取り付けケース２ｇと重ね合わせ部の微小隙間に浸入した水は、排水路６によって外部に確実に排水されるので、排水路６を超えて外装体２の内部に水が浸入することはない。以上、右側面ケース２ｂと本体外配管接続口取り付けケース２ｇとの継ぎ目の重ね合わせ部の構成について説明したが、左側面ケース２ｃと本体外配管接続口取り付けケース２ｇとの継ぎ目の重ね合わせ部も同様に構成されている。
【００２１】
以上説明した構成を有する本実施形態の給湯装置１０の外装体２によれば、水平面に対し垂直な板金部品同士の継ぎ目の重ね合わせ部から雨水等が外装体２の内部に浸入することを確実に防止することができる。このため、内部の電気電子部品に水かかることで不具合が引き起こされたり、内部に残留した雨水によって内部構成板金の錆びが発生したりすることを確実に防止することができる。また、板金部品の継ぎ目にシール材やパッキンを設ける必要がないので、コストを低減できるとともに、火災に対する安全性を向上することもできる。
【００２２】
また、外装体２を構成する板金部品に板金加工により設けた溝３，４によって排水路５，６を形成しているので、外装体２の構成材料となる金属板の厚みを厚くする必要がなく、外装体２を軽量化することができる。ここで、排水路５，６に到達した水を重力によって確実に下降させるためには、排水路５，６の太さ（通路面積）が、水が表面張力によって浸透することのできる隙間の寸法よりも十分に大きいことが重要である。これに対し、本実施形態によれば、外装体２を構成する板金部品に板金加工により設けた溝３，４によって排水路５，６を形成しているので、外装体２を構成する板金部品の厚みが薄くても、排水路５，６の十分な太さ（通路面積）に形成することができる。このため、外装体２を軽量化しつつ、優れた防水性を確保することができる。
【００２３】
特に、本実施形態では、図９、図１０に示すように、排水路５，６（溝３，４）の深さや幅が、構成材料となる金属板の厚みよりも大きくされている。このため、排水路５，６の太さ（通路面積）を十分に確保することと、外装体２の軽量化とを十分に両立することができる。
【００２４】
また、重ね合わせ部の内側に位置する板金部品に排水路５，６を構成するための溝３，４を形成しているので、外部からは溝が見えない。このため、製品の外観を損ねることなく、上記効果を達成することができる。また、溝３，４がリブの働きをすることにより、重ね合わせ部の剛性を高める効果も得られる。
【００２５】
実施の形態２．
次に、図１２を参照して、本発明の実施の形態２について説明するが、上述した実施の形態１との相違点を中心に説明し、同一部分または相当部分は同一符号を付し説明を省略する。図１２は、本発明の実施の形態２の給湯装置が備える外装体２の右側面ケース２ｂと本体外配管接続口取り付けケース２ｇとの継ぎ目の重ね合わせ部の斜視図である。なお、図１２では、見易くするための便宜上、本体外配管接続口取り付けケース２ｇを、右側面ケース２ｂの内側に隠れている部分についても実線で描いている。
【００２６】
図１２に示すように、本実施形態の外装体２における右側面ケース２ｂと本体外配管接続口取り付けケース２ｇとの重ね合わせ部には、外部からの水が浸入する側から斜め下方向に伸びて排水路６に合流する補助排水路９が更に設けられている。補助排水路９は、排水路６と同様に、重ね合わせ部の内側に位置する右側面ケース２ｂに板金加工によって溝（補助溝）を形成することによって設けられたものである。補助排水路９の太さ（通路面積）は、水が表面張力によって浸透することのできる隙間の寸法よりも十分に大きくされている。
【００２７】
本実施形態では、このような補助排水路９を設けたことにより、右側面ケース２ｂと本体外配管接続口取り付けケース２ｇと重ね合わせ部の微小隙間に浸入した水は、表面張力により微小隙間を伝って、まず補助排水路９に到達する。そして、補助排水路９に到達した水は、表面張力によって補助排水路９内にとどまることはできないので、重力によって補助排水路９を伝って下降して排水路６に流入する。そして、重力によって排水路６を伝って下降し、排水路６の下端開口から外部に排出される。本実施形態によれば、このようにして、重ね合わせ部の微小隙間に浸入した水をより確実に排水路６に集めて排出することができるので、より優れた防水機能が得られる。特に、本実施形態では、高さの異なる位置に複数の補助排水路９を設けている。このため、重ね合わせ部の微小隙間に浸入した水を更に確実に排水路６に集めて排出することができるので、更に優れた防水機能が得られる。
【００２８】
なお、本実施形態では、右側面ケース２ｂと本体外配管接続口取り付けケース２ｇと重ね合わせ部について代表して説明したが、他の重ね合わせ部にも同様の補助排水路を設けることができることは言うまでもない。
【００２９】
実施の形態３．
次に、図１３を参照して、本発明の実施の形態３について説明するが、上述した実施の形態１との相違点を中心に説明し、同一部分または相当部分は同一符号を付し説明を省略する。図１３は、本発明の実施の形態３の給湯装置が備える外装体２の右側面ケース２ｂと本体外配管接続口取り付けケース２ｇとの継ぎ目の重ね合わせ部の斜視図である。なお、図１３では、見易くするための便宜上、本体外配管接続口取り付けケース２ｇを、右側面ケース２ｂの内側に隠れている部分についても実線で描いている。
【００３０】
図１３に示すように、本実施形態の外装体２における右側面ケース２ｂと本体外配管接続口取り付けケース２ｇとの重ね合わせ部には、上下方向に伸びる２本の排水路６ａ，６ｂが並行して設けられている。排水路６ａ，６ｂは、それぞれ、実施の形態１の排水路６と同様に、重ね合わせ部の内側に位置する右側面ケース２ｂに板金加工によって溝４ａ，４ｂを形成することによって設けられたものである。排水路６ａ，６ｂの太さ（通路面積）は、それぞれ、水が表面張力によって浸透することのできる隙間の寸法よりも十分に大きくされている。
【００３１】
本実施形態では、複数の排水路６ａ，６ｂを略並行して設けたことにより、重ね合わせ部の微小隙間に浸入した水をより確実に排出することができる。例えば、一方の排水路６ａの途中が異物等により閉塞されて、浸入した水が排水路６ａからあふれ、排水路６ａを超えて内部に浸入した場合でも、その水が排水路６ｂに達したところで重力により排水路６ｂを伝って下降し、排水路６ｂの下端開口から外部に排出される。このため、本実施形態によれば、特に優れた防水機能が得られる。
【００３２】
なお、本実施形態では、右側面ケース２ｂと本体外配管接続口取り付けケース２ｇと重ね合わせ部について代表して説明したが、他の重ね合わせ部にも同様の構成を適用することができることは言うまでもない。また、図示の構成では、２本の排水路６ａ，６ｂを並行して設けているが、上下方向に伸びる３本以上の排水路を並行して設けてもよい。
【００３３】
実施の形態４．
次に、図１４を参照して、本発明の実施の形態４について説明するが、上述した実施の形態１との相違点を中心に説明し、同一部分または相当部分は同一符号を付し説明を省略する。図１４は、本発明の実施の形態４の給湯装置が備える外装体２の右側面ケース２ｂと本体外配管接続口取り付けケース２ｇとの継ぎ目の重ね合わせ部の斜視図である。なお、図１４では、見易くするための便宜上、本体外配管接続口取り付けケース２ｇを、右側面ケース２ｂの内側に隠れている部分についても実線で描いている。
【００３４】
図１４に示すように、本実施形態の外装体２における右側面ケース２ｂと本体外配管接続口取り付けケース２ｇとの重ね合わせ部には、上下方向に伸びる排水路６が設けられている。この排水路６は、実施の形態１と同様、重ね合わせ部の内側に位置する右側面ケース２ｂに板金加工によって溝４ｃを形成することによって設けられたものであるが、この溝４ｃは、右側面ケース２ｂの上端の手前までしか形成されていない。このため、排水路６は、その上端が閉塞している。このように構成したことにより、仮に排水路６の下端開口から微小生物（例えば、蟻や蜘蛛やなめくじ）が排水路６内に這い登ってきたとしても、この微小生物が製品内部へ侵入することを確実に防止することができる。なお、本実施形態では、右側面ケース２ｂと本体外配管接続口取り付けケース２ｇと重ね合わせ部について代表して説明したが、他の重ね合わせ部にも同様の構成を適用することができることは言うまでもない。
【符号の説明】
【００３５】
１０  給湯装置
１１  脚
１ａ  配管
１ｂ  貯湯タンク
２ａ  前面ケース
２ｂ  右側面ケース
２ｃ  左側面ケース
２ｄ  背面ケース
２ｅ  上面ケース
２ｆ  底面ケース
２ｇ  本体外配管接続口取り付けケース
３，４，４ａ，４ｂ，４ｃ  溝
５，６  排水路
９  補助排水路
【図１】
0005648537.tif 000002
【図２】
0005648537.tif 000003
【図３】
0005648537.tif 000004
【図４】
0005648537.tif 000005
【図５】
0005648537.tif 000006
【図６】
0005648537.tif 000007
【図７】
0005648537.tif 000008
【図８】
0005648537.tif 000009
【図９】
0005648537.tif 000010
【図１０】
0005648537.tif 000011
【図１１】
0005648537.tif 000012
【図１２】
0005648537.tif 000013
【図１３】
0005648537.tif 000014
【図１４】
0005648537.tif 000015